(57)【要約】【課題】  簡素な構成で、ユーザが負担するランニングコストを軽減させることができる掘削用バケットを提供する。【解決手段】  作業機械の掘削用バケット１であって、バケット１の先端部両脇において、バケット１の掘削方向に突設されバケット１による掘削時の掘削抵抗を低減させるサイドカッター部５と、サイドカッター部５の基部にサイドカッター８を後付け可能なサイドカッター取付用部位３とが形成されたサイドプレート２を備える。【選択図】        図１
2006045769.tif 000002
【特許請求の範囲】
【請求項１】
作業機械の掘削用バケットであって、
該バケットの先端部両脇において、該バケットの掘削方向に突設され該バケットによる掘削時の掘削抵抗を低減させるサイドカッター部と、該サイドカッター部の基部にサイドカッターを後付け可能なサイドカッター取付用部位とが形成されたサイドプレート
を備えたことを特徴とする、掘削用バケット。
【請求項２】
該サイドプレートは、該サイドカッター取付用部位に、該サイドカッターを締結するためのサイドカッター取付用穿孔を有する
ことを特徴とする、請求項１記載の掘削用バケット。
【発明の詳細な説明】
【技術分野】
【０００１】
本発明は、油圧ショベルをはじめとした作業機械で使用される掘削用バケットに関する。
【背景技術】
【０００２】
従来から、油圧ショベル等の作業機械で用いられる掘削用のバケットには、土砂や砕石の掘削抵抗を減少させて掘削作業を容易にするために、その先端部にツース部材やサイドカッター部材が設けられている。これらのツース部材やサイドカッター部材（以下、単にサイドカッターという）は、バケットに対して着脱自在に固定されて、適宜交換できるようになっている。
【０００３】
例えば、特許文献１には、サイドカッターに取付孔が複数個設けられ、この取付孔に取付ボルトを挿通しバケットの側板に設けられたねじ孔に螺合（または、孔を介してナットと螺合）させて、サイドカッターをバケットの側板に対して締結固定する構成が記載されている。
また、特許文献２には、バケット側板のサイドカッターの取付位置にアダプタ部材を溶着し、一方、サイドカッターにはアダプタ部材に嵌合可能なツース部材を溶着した構成が記載されている。
【０００４】
これらのような構成により、例えばサイドカッターが破損，磨耗したときに、簡単に新しいサイドカッターと交換して取り付けることができるようになっている。
【特許文献１】特開２００３−８２７１１号公報
【特許文献２】実開平５−５４６６０号公報
【発明の開示】
【発明が解決しようとする課題】
【０００５】
ところで、バケット先端部に備えられるサイドカッターは、掘削時の反力を直接受けるため、耐衝撃性，耐摩耗性の高い材料を用いて製造されている。このため、一般にサイドカッターは高価であり、ユーザにとって出費が高くついてしまうという課題がある。
また、ユーザは、サイドカッターの交換時だけでなく、新規でバケットを購入する際にもバケット本体とともにサイドカッターを購入する必要があり、コスト高になってしまうという課題もある。
【０００６】
本発明は、このような課題に鑑み案出されたもので、簡素な構成で、ユーザが負担するランニングコストを軽減させることができるようにした掘削用バケットを提供することを目的とする。
【課題を解決するための手段】
【０００７】
上記目的を達成するため、本発明の掘削用バケット（請求項１）は、作業機械の掘削用バケットであって、該バケットの先端部両脇において、該バケットの掘削方向に突設され該バケットによる掘削時の掘削抵抗を低減させるサイドカッター部と、該サイドカッター部の基部にサイドカッターを後付け可能なサイドカッター取付用部位とが形成されたサイドプレートを備えたことを特徴としている。
【０００８】
また、該サイドプレートは、該サイドカッター取付用部位に、該サイドカッターを締結するためのサイドカッター取付用穿孔を有することが好ましい（請求項２）。
【発明の効果】
【０００９】
本発明の掘削バケット（請求項１）によれば、バケットの掘削方向に突設されたサイドカッター部が従来のサイドカッターとして機能するため、最初の一回目のサイドカッター取付分の費用がかからないで済む。また、このサイドカッター部の基部にサイドカッターを後付け可能なサイドカッター取付用部位とが形成されているため、サイドカッター部の破損，磨耗後には従来のサイドカッターを取り付けることができる。
【００１０】
また、本発明の掘削バケット（請求項２）によれば、サイドカッター取付用部位にサイドカッターを締結するためのサイドカッター取付用穿孔を有しているため、従来のサイドカッターを容易に取り付けることができる。
【発明を実施するための最良の形態】
【００１１】
以下、図面により、本発明の実施形態について説明する。
図１〜図３は本発明の一実施形態としての掘削用バケットを示すもので、図１は本バケットの全体構成を示す外観斜視図、図２は本バケットにサイドカッターが取り付けられた状態を示す図であり、（ａ）はその側面図、（ｂ）はそのボルト部断面図〔図２（ａ）におけるＡ−Ａ断面図〕であり、（ｃ）はそのサイドプレートの断面図〔図２（ａ）におけるＢ−Ｂ断面図〕、図３は、本バケットのサイドカッター部５が磨耗した状態を説明する側面図である。
【００１２】
本発明の一実施形態にかかるバケット１は、掘削作業等にかかる油圧ショベルに用いられる掘削バケットであり、図１に示すように、内側へ湾曲した底面を形成する底板１０と、底板１０の一端部に溶接されてバケット１の底面端部を形成する口金板１０ａと、底板１０の左右両側面に溶接されてバケット１の側面を形成する一対のサイドプレート２，２と、底板１０の他端部においてバケット１の外方へ向けて立設する一対のボスブラケット７とを備えて構成されている。
【００１３】
サイドプレート２，２は、バケット１の開口部側の側面端部に設けられたサイドカッタープレート（補強部）２ａ，２ａと、サイドカッタープレート２ａ，２ａの一端部及び底板１０の左右両側面に両端辺を溶接された側面プレート（側面部）２ｂ，２ｂとを備えて構成されており、口金板１０ａ及びサイドカッタープレート２ａ，２ａ及び底板１０の口金板１０ａが溶接されていない側の端辺によってバケット１の開口部が形成されている。なお、サイドカッタープレート２ａ，２ａは、側面プレート２ｂ，２ｂよりも板厚が大きくなっている。これにより、開口部周りが補強されて、変形等に対する強度が向上するようになっている。
【００１４】
口金板１０ａの先端には、ツース部材１１が着脱可能な複数のアダプタ６が備えられている。これにより、これらのアダプタ６へツース部材１１が着装されると、バケット１による掘削時に、ツース部材１１が最初に掘削面に接触して掘削抵抗を低減させることができるようになっている。
また、サイドカッタープレート２ａは、バケット１の先端部付近（先端部両脇）のカッター取付部（サイドカッター取付用部位）３において、サイドカッター８を取り付けるための取付孔（サイドカッター取付用穿孔）４と、サイドカッター８が取り付けられた状態を模して（ここでは、バケット１の側面視において略同一の形状を有するように）形成されたサイドカッター部５とを備えて構成されている。
【００１５】
このサイドカッター部５はバケット１の掘削方向に突設されており、バケット１による掘削時の掘削抵抗を低減させるようになっている。これにより、サイドカッター８が取り付けられていない場合、バケット１による掘削時には、バケットの側面を形成するサイドプレート２のうちサイドカッター部５が最初に掘削面に接触して、掘削抵抗を低減させることができるようになっている。なお、サイドカッター部５は、サイドカッタープレート２ａと同一の板厚でサイドカッタープレート２ａ（小口面）から突設されている。
【００１６】
また、取付孔４は、サイドカッター部５の基部に形成されており、後述するボルト固定式のサイドカッター８を後付けすることができるようになっている。
なお、本実施形態では、サイドカッタープレート２ａが、掘削時の反力に対して耐衝撃性，耐摩耗性の高い材料を用いて製造されており、また、側面プレート２ｂよりも板厚の大きい鋼材で製造されている。
【００１７】
サイドカッター部５が破損，磨耗した場合、サイドカッタープレート２ａのカッター取付部３には、交換用のサイドカッター８を新たに取り付けることができるようになっている。このサイドカッター８は、図２（ａ），（ｂ），（ｃ）に示すように、先端部８ａ，取付部８ｂ，段部８ｃ及びボルト孔８ｄとを備えて構成されている。そして、図２（ａ），（ｂ）に示すように、ボルト孔８ｄとサイドカッタープレート２ａの取付孔４とに締結部材（ボルト，ナット等）９が挿通されて、サイドカッター８がサイドカッタープレート２ａに固定されるようになっている。また、図２（ｃ）に示すように、サイドカッター８がサイドカッタープレート２ａに固定されたときには、サイドカッター８の取付面８ｂがサイドカッタープレート２ａの外面に面接触するとともに、段部８ｃがサイドカッタープレート２ａの端面（小口面）に当接するようになっている。これにより、サイドカッター８がサイドカッタープレート２ａに対して確実に固定されるようになっている。
【００１８】
このようにして、サイドカッター８がサイドカッタープレート２ａに取り付けられると、バケット１による掘削時には、バケット側面のサイドプレート２，サイドカッタープレート２ａ及びサイドカッター８のうち、サイドカッター８（の先端部８ａ）が最初に掘削面に接触して、掘削抵抗を低減させることができるようになっている。
つまり、サイドカッター部５が破損，磨耗していない状態では、サイドカッター部５がサイドカッター８と同様に掘削抵抗を減少させるよう機能し、サイドカッター部５が破損，磨耗した後には、バケット１のカッター取付部３にサイドカッター８が取り付けられるようになっている。したがって、サイドカッター部５が破損，磨耗するまでの間は、サイドカッター８を取り付ける必要がないことになるのである。
なお、ボスブラケット７には、例えば油圧ショベルの作業機とバケット１とを連結するためのピンボスが備えられている。
【００１９】
以上のような構成により、本実施形態における掘削用バケットによれば以下のような作用・効果を奏する。
まず、バケット１を新規に使い始める場合、すなわち、サイドカッター部５が破損，磨耗していない状態では、サイドカッター部５がサイドカッター８と同様に掘削抵抗を減少させるよう機能するようになっているため、カッター取付部３にサイドカッター８を取り付ける必要がない。したがって、ユーザは、従来のバケットを使用する場合と比較すると、一回分のサイドカッター８の購入コストを削減することができる。
【００２０】
また、サイドカッター部５が破損，磨耗した場合には、従来のバケットと同様に、カッター取付部３にサイドカッター８を取り付けることができ、掘削時の掘削抵抗を低減させることができる。なお、図３に示すように、サイドカッター部５の磨耗状況によっては、サイドカッター８とサイドカッター部５とが互いに干渉して（斜線部が干渉部分）、カッター取付部３にサイドカッター８を取り付けることができない場合がある。この場合には、ガス切断器等で干渉部分を切断することで、カッター取付部３にサイドカッター８を取り付けることができるようになる。
なお、サイドカッター８とサイドカッター部５との干渉部分は、サイドカッタープレート２ａに設けられた穿孔４の位置を基準にして、正確にけがくことができる。
【００２１】
以上、本発明の実施形態について説明したが、本発明はこれらの実施形態に限定されるものではなく、本発明の趣旨を逸脱しない範囲で種々変形して実施することができる。
例えば、上述の実施形態では、掘削作業等にかかる油圧ショベルに用いられる掘削バケットに本発明を適用したものを詳述したが、スケルトンバケットやディッチクリーニングバケットといったその他の掘削用バケットにも適用することができる。
【００２２】
また、上述の実施形態では、サイドプレート２がサイドカッタープレート２ａと側面プレート２ｂとを備えて構成され、上記各部材が溶接されてバケット１の側面全体を形成しているが、無論これらのサイドカッタープレート２ａ及び側面プレート２ｂを単一の部材で形成することも考えられる。この場合、バケット１の開口部側となるサイドプレート２の端部のみを硬化処理して補強部とすれば、サイドプレート２全体を耐衝撃性，耐摩耗性の高い材料で製造する場合に比べて、製造コストを抑えることができる。
【図面の簡単な説明】
【００２３】
【図１】本発明の一実施形態としての掘削用バケットの全体構成を示す外観斜視図である。
【図２】本発明の一実施形態としての掘削用バケットにサイドカッターが取り付けられた状態を示す図であり、（ａ）はその側面図、（ｂ）はそのボルト部断面図〔図３（ａ）におけるＡ−Ａ断面図〕であり、（ｃ）はそのサイドプレートの断面図〔図３（ａ）におけるＢ−Ｂ断面図〕である。
【図３】本発明の一実施形態としての掘削用バケットにおいてカッター部が磨耗した状態を説明する側面図である。
【符号の説明】
【００２４】
１  バケット（掘削用バケット）
２  サイドプレート
２ａ  サイドカッタープレート
２ｂ  側面プレート（側面部）
３  カッター取付部（サイドカッター取付用部位）
４  取付孔（サイドカッター取付用穿孔）
５  サイドカッター部
８  サイドカッター
８ａ  先端部
【図１】
2006045769.tif 000003
【図２】
2006045769.tif 000004
【図３】
2006045769.tif 000005